(57)【要約】【課題】所望受信チャンネルの高周波信号に対し、信号強度が強い妨害波が存在しても復調部出力信号における誤り発生を抑え、安定した受信特性を有するデジタル放送用受信装置を提供する。【解決手段】制御部５は、チューナ部６に入力される高周波信号の強度に応じて、高周波信号の経路として増幅／減衰部４を含む経路（第一の経路）もしくは増幅／減衰部４を含まない経路（第二の経路）の一方を選択し、増幅／減衰部４に対して電源電圧の印加または切断を行うことでチューナ部６に入力される高周波信号の強度を適当にする。【選択図】図１
2008153845.tif 000002
【特許請求の範囲】
【請求項１】
入力される高周波信号から所望のチャンネルを選局するチューナ部と、該チューナ部からの出力信号に対して復調を行う復調部とを備えたデジタル放送用受信装置において、
電源電圧の印加または切断により上記入力される高周波信号を増幅または減衰する増幅／減衰部と、
上記増幅／減衰部の前段と後段に一つずつ配され、上記入力される高周波信号の経路として上記増幅／減衰部を含む経路もしくは上記増幅／減衰部を含まない経路を選択するスイッチ手段と、
第一、第二の出力端子を備え、第一の出力端子から出力する制御信号で上記増幅／減衰部に対して電源電圧の印加または切断を行うことにより上記増幅／減衰部の増幅または減衰の動作を制御し、第二の出力端子から出力する制御信号で上記スイッチ手段に対するスイッチング電圧の切り替えを行うことにより上記スイッチ手段が選択する経路を制御する制御部を備え、
該制御部は上記チューナ部に入力される高周波信号の電界強度に応じて、該増幅／減衰部及び該スイッチ手段の動作を制御することを特徴としたデジタル放送用受信装置。
【請求項２】
請求項１に記載のデジタル放送用受信装置において、
前記制御部を前記チューナ部内に設けたことを特徴とするデジタル放送用受信装置。
【請求項３】
請求項１に記載のデジタル放送用受信装置において、
前記制御部を前記復調部内に設けたことを特徴とするデジタル放送用受信装置。
【請求項４】
入力される高周波信号から所望のチャンネルを選局するチューナ部と、該チューナ部からの出力信号に対して復調を行う復調部とを備えたデジタル放送用受信装置において、
電源電圧の印加または切断により上記入力される高周波信号を増幅または減衰する増幅／減衰部と、
上記増幅／減衰部の前段と後段に一つずつ配され、上記入力される高周波信号の経路として上記増幅／減衰部を含む経路もしくは上記増幅／減衰部を含まない経路を選択するスイッチ手段と、
電源電圧の印加または切断により上記入力される高周波信号を増幅または減衰する増幅／減衰部の増幅または減衰の動作の制御と、上記スイッチ手段が選択する経路を、一つの出力端子から出力する制御信号で制御する制御部を備え、
該制御部は上記チューナ部に入力される高周波信号の電界強度に応じて、該増幅／減衰部及び該スイッチ手段の動作を制御することを特徴としたデジタル放送用受信装置。
【請求項５】
入力される高周波信号から所望のチャンネルを選局するチューナ部と、該チューナ部からの出力信号に対して復調を行う復調部とを備えたデジタル放送用受信装置において、
電源電圧の印加または切断により上記入力される高周波信号を増幅または減衰する増幅／減衰部と、
上記増幅／減衰部の前段に配され、上記入力される高周波信号の経路として上記増幅／減衰部を含む経路もしくは上記増幅／減衰部を含まない経路を選択するスイッチ手段と、
上記増幅／減衰部の後段に配され、上記増幅／減衰部もしくは上記スイッチ手段から入力される高周波信号をチューナ部に出力する合成器と、
第一、第二の出力端子を備え、第一の出力端子から出力する制御信号で上記増幅／減衰部に対して電源電圧の印加または切断を行うことにより上記増幅／減衰部の増幅または減衰の動作を制御し、第二の出力端子から出力する制御信号で上記スイッチ手段に対するスイッチング電圧の切り替えを行うことにより上記スイッチ手段が選択する経路を制御する制御部を備え、
該制御部は上記チューナ部に入力される高周波信号の電界強度に応じて、該増幅／減衰部及び該スイッチ手段の動作を制御することを特徴としたデジタル放送用受信装置。
【請求項６】
入力される高周波信号から所望のチャンネルを選局するチューナ部と、該チューナ部からの出力信号に対して復調を行う復調部とを備えたデジタル放送用受信装置において、
電源電圧の印加または切断により上記入力される高周波信号を増幅または減衰する増幅／減衰部と、
上記増幅／減衰部の後段に配され、上記入力される高周波信号の経路として上記増幅／減衰部を含む経路もしくは上記増幅／減衰部を含まない経路を選択するスイッチ手段と、
上記増幅／減衰部の前段に配され、上記入力される高周波信号を上記増幅／減衰部もしくは上記スイッチ手段に出力する分波器と、
第一、第二の出力端子を備え、第一の出力端子から出力する制御信号で上記増幅／減衰部に対して電源電圧の印加または切断を行うことにより上記増幅／減衰部の増幅または減衰の動作を制御し、第二の出力端子から出力する制御信号で上記スイッチ手段に対するスイッチング電圧の切り替えを行うことにより上記スイッチ手段が選択する経路を制御する制御部を備え、
該制御部は上記チューナ部に入力される高周波信号の電界強度に応じて、該増幅／減衰部及び該スイッチ手段の動作を制御することを特徴としたデジタル放送用受信装置。
【請求項７】
請求項１から６に記載のデジタル放送用受信装置の選局復調手段と、暗号解読手段と、デマルチプレクス手段と、デジタル伸長手段と、映像処理手段と、音声処理手段とからなり、
高周波のデジタル変調信号が入力されビデオ信号と音声信号とを出カすることを特徴とするデジタル放送用受信装置。
【請求項８】
請求項１から６に記載のデジタル放送用受信装置の選局復調手段と、暗号解読手段と、デマルチプレクス手段と、デジタル伸長手段と、映像処理手段と、音声処理手段と、画像表示手段と、スピーカを備えたことを特徴とするテレビジョン受信装置。
【請求項９】
請求項１から６に記載のデジタル放送用受信装置の選局復調手段と、暗号解読手段と、デマルチプレクス手段と、デジタル伸長手段と、映像処理手段と、音声処理手段と、ビデオ録画再生手段からなることを特徴とするビデオ録画再生装置。
【発明の詳細な説明】
【技術分野】
【０００１】
本発明は、地上波デジタル放送やＢＳデジタル放送などのデジタル放送を受信する装置に関し、特にチューナ部分における受信特性の向上を図ったデジタル放送用受信装置、テレビジョン受信装置、及びビデオ録画再生装置に関する。
【背景技術】
【０００２】
特許文献１に示す放送受信装置は、増幅経路あるいはスルー経路の一方を選択するスイッチ手段を備えたブースターを用いて、チューナに入力される高周波信号の電波状態を適当にしている。
【特許文献１】特開平８−２５６０７７号公報
【発明の開示】
【発明が解決しようとする課題】
【０００３】
デジタル放送用受信装置の性能を示す指標として、所要ＤＵ比がある。ここでＤＵ比とは受信希望波電界強度と妨害波電界強度との比であり、値が小さいほど復調部出力信号に誤りが発生しやすい。またここで所要ＤＵ比とは復調部出力信号の誤りが発生しない最小ＤＵ比のことであり、値が小さいほど受信装置の特性は良い。デジタル放送用受信装置における所要ＤＵ比は、入力電界強度が強くなると大きくなる、すなわち劣化する傾向にある。
【０００４】
特許文献１の受信装置への入力電界強度が大きい場合、ブースター内ではスイッチ手段によってスルー経路が選択され、高周波信号は減衰されることなくそのままの強度でチューナ部へ入力されるため、高周波信号が減衰される場合と比べて受信装置は所要ＤＵ比性能において最良の特性を得ていないといえる。
【課題を解決するための手段】
【０００５】
本発明において、デジタル放送用受信装置は、入力される高周波信号の経路として増幅／減衰部を含む経路または増幅／減衰部を含まない経路の一方を選択するスイッチ手段と、入力される高周波信号を増幅または減衰する増幅／減衰部と、増幅／減衰部もしくはスイッチ手段から入力される高周波信号から所望のチャネルを選局するチューナ部と、チューナ部からの入力信号に対して復調を行いデジタル信号として出力する復調部と、復調部から入力されるデジタル信号を復号し映像信号および音声信号として出力する信号処理部と、上記増幅／減衰部に対して電源電圧の印加または切断を切り替えることにより増幅または減衰の動作を制御し、また上記スイッチ手段に対してスイッチング電圧の切り替えを行うことで増幅／減衰部を含む経路または増幅／減衰部を含まない経路の選択を制御する制御部と、を備える。
【発明の効果】
【０００６】
本発明によれば、広い入力電界強度範囲において最良の高周波信号をチューナ部に入力でき、より小さいＤＵ比でも復調部の出力信号における誤りの発生を抑え、安定した受信特性を有するデジタル放送用受信装置を提供できる。よって、妨害波が強くデジタル放送視聴が困難な地域における受信性能の向上に大きく貢献することができる。
【発明を実施するための最良の形態】
【０００７】
以下に本発明の最良の形態について、図面を用いて具体的に説明する。
【実施例１】
【０００８】
図１は、本発明を用いたデジタル放送用受信装置の一実施例を示すブロック図である。入力端子１を介してデジタル放送用受信装置２に入力された高周波信号は、スイッチ手段３に入力される。スイッチ手段３とスイッチ手段３１は、入力された高周波信号の経路として、増幅／減衰部４を含む経路（第一の経路）または増幅／減衰部４を含まない経路（第二の経路）の一方を選択する。
【０００９】
スイッチ手段３とスイッチ手段３１により第一の経路が選択された場合、高周波信号は増幅／減衰部４に入力される。増幅／減衰部４は、入力された高周波信号を増幅または減衰し、スイッチ手段３１に出力する。スイッチ手段３１は入力された高周波信号をチューナ部６に出力する。
【００１０】
スイッチ手段３とスイッチ手段３１により第二の経路が選択された場合、高周波信号は増幅も減衰もされることなくそのままスイッチ手段３１に入力され、チューナ部６に出力される。
【００１１】
このスイッチ手段３とスイッチ手段３１の経路切り替えと増幅／減衰部４の増幅動作または減衰動作の切り替えは、チューナ部６に入力される高周波信号の電界強度に応じて制御部５によって制御される。すなわち制御部５は、第一、第二の出力端子を備え、チューナ部６に入力される高周波信号の電界強度に応じて、第一の出力端子からスイッチ手段３とスイッチ手段３１に対し第一の経路または第二の経路を選択させるスイッチング電圧を印加し、第二の出力端子から増幅／減衰部４に対し所定の電源電圧を印加もしくは切断する。
【００１２】
チューナ部６は入力された高周波信号から所望のチャンネルを選局し、復調部７に出力する。ここで選局するチャンネルは、例えばＣＰＵ９により指定される。復調部７は入力された信号を復調しデジタルデータを出力する。出力されたデジタルデータは、信号処理部にて復号され、映像信号及び音声信号として図示しないモニタ及びスピーカーに出力される。
【００１３】
図２は、図１に示すデジタル放送用受信装置２への入力電界強度と所要ＤＵ比との関係を示す図である。図２には曲線Ａから曲線Ｃまでの三本の特性曲線が示されており、曲線Ａはスイッチ手段３とスイッチ手段３１が第一の経路を選択し、かつ増幅／減衰部４が増幅の動作を行った時の特性、曲線Ｂはスイッチ手段３とスイッチ手段３１が第一の経路を選択し、かつ増幅／減衰部４が減衰の動作を行った時の特性、曲線Ｃはスイッチ手段３とスイッチ手段３１が第二の経路を選択し、かつ増幅／減衰部４が減衰の動作を行った時の特性である。所要ＤＵ比は値が小さいほど特性が良い。
【００１４】
図２は、デジタル放送用受信装置２に入力される電界強度の範囲をＩ、II、IIIに分割しており、曲線Ａの特性が最も優れる範囲をＩ、曲線Ｂの特性が最も優れる範囲をII、曲線Ｃの特性が最も優れる範囲をIIIとしている。
【００１５】
図３に、図２における電界強度範囲Ｉ、II、IIIと、それぞれの電界強度範囲に最も適したスイッチ手段３とスイッチ手段３１の選択経路及び増幅／減衰部４の動作をまとめた表を示す。また、図３には制御部５の出力状態である、状態１、状態２、状態３もあわせて示す。以下に状態１、状態２、状態３について説明する。
【００１６】
状態１は、スイッチ手段３とスイッチ手段３１に第一の経路を選択させ、かつ増幅／減衰部４に増幅動作をさせる制御部５の出力状態であり、電界強度範囲Ｉに最も適している。状態２は、スイッチ手段３とスイッチ手段３１に第一の経路を選択させ、かつ増幅／減衰部４に減衰動作をさせる制御部５の出力状態であり、電界強度範囲IIに最も適している。状態３は、スイッチ手段３とスイッチ手段３１に第二の経路を選択させ、かつ増幅／減衰部４に減衰動作をさせる制御部５の出力状態であり、電界強度範囲IIIに最も適している。すなわち本実施例では、制御部５がチューナ部６への入力電界強度に応じて、自身の出力状態を状態１、状態２、状態３、に設定することで最良の受信特性を実現している。
【００１７】
図４は、スイッチ手段３とスイッチ手段３１の内部構成の一例を示す図である。スイッチ手段３とスイッチ手段３１は、例えばスイッチングＩＣにより構成され、スイッチング電圧を切り替えることで経路選択を可能にしている。
【００１８】
図５は、増幅／減衰部４の内部構成の一例を示す図である。増幅／減衰部４は、例えば低雑音増幅器により構成され、電源電圧を印加または切断することで、増幅動作と減衰動作とを簡単に切り替えるようにしている。ここでは、電源電圧を切断した場合低雑音増幅器の増幅動作は停止するが、入力された高周波信号は完全に遮断されずに減衰された信号として出力されることを利用して減衰動作を実現している。
【００１９】
図６と図７を用いて制御部５の動作を説明する。図６は、制御部５の閾値設定の一例を示す図である。また図７は、図６に従う制御部５の動作を示すフローチャート図である。
【００２０】
制御部５はチューナ部６に入力される電界強度が各閾値を上回る、または下回ることでスイッチ手段３の選択経路と増幅／減衰部４の動作を切り替える。本実施例ではｔｈ１からｔｈ６まで６つの閾値を用いて制御部５の動作を決定する。
【００２１】
例えばデジタル放送用受信装置２への電源投入直後の制御部５が、スイッチ手段３とスイッチ手段３１に第一の経路を選択させ、かつ増幅／減衰部４に増幅動作をさせるような出力状態、すなわち状態１にあるとする（Ｓ１０１）。制御部５は自身の出力がスイッチ手段３とスイッチ手段３１に第一の経路を選択させ、かつ増幅／減衰部４に増幅動作をさせる設定であることの真偽を確認する（Ｓ１０２）。
【００２２】
真の場合、制御部５はチューナ部６に入力される高周波信号の電界強度を検出し、ｔｈ１と比較する（Ｓ１０３）。チューナ部６に入力される電界強度がｔｈ１より小さい場合、図６に示すとおりデジタル放送受信装置２への入力電界強度は十分小さく、スイッチ手段３、スイッチ手段３１と増幅／減衰部４の状態を変更する必要が無いためＳ１０２に戻る。Ｓ１０３においてチューナ部６に入力される電界強度がｔｈ１より大きい場合、制御部５はチューナ部６に入力される電界強度をｔｈ２と比較する（Ｓ１０４）。電界強度がｔｈ２より小さい場合、制御部５はスイッチ手段３とスイッチ手段３１に第一の経路を選択させ、かつ増幅／減衰部４に減衰動作をさせるように自身の出力を設定し（Ｓ１０５）、Ｓ１０２に戻る。Ｓ１０４において電界強度がｔｈ２より大きい場合、制御部５はスイッチ手段３とスイッチ手段３１に第二の経路を選択させ、かつ増幅／減衰部４に減衰動作をさせるように自身の出力を設定し（Ｓ１０６）、Ｓ１０２に戻る。
【００２３】
Ｓ１０２での結果が偽である場合、制御部５は自身の出力がスイッチ手段３とスイッチ手段３１に第一の経路を選択させ、かつ増幅／減衰部４に減衰動作をさせる設定であることの真偽を確認する（Ｓ１０７）。真の場合、制御部５はチューナ部６に入力される電界強度をｔｈ３と比較する（Ｓ１０８）。電界強度がｔｈ３より小さい場合、制御部５はスイッチ手段３とスイッチ手段３１に第一の経路を選択させ、かつ増幅／減衰部４に増幅動作をさせるように自身の出力を設定し（Ｓ１０９）、Ｓ１０２に戻る。Ｓ１０８において電界強度がｔｈ３より大きい場合、制御部５はチューナ部６に入力される電界強度をｔｈ４と比較する（Ｓ１１０）。電界強度がｔｈ４より小さい場合、制御部５は出力設定を変更することなくＳ１０２に戻る。Ｓ１１０において電界強度がｔｈ４より大きい場合、制御部５はスイッチ手段３とスイッチ手段３１に第二の経路を選択させ、かつ増幅／減衰部４に減衰動作をさせるように自身の出力を設定し（Ｓ１１１）、Ｓ１０２に戻る。
【００２４】
Ｓ１０７での結果が偽である場合、制御部５はスイッチ手段３とスイッチ手段３１に第二の経路を選択させ、かつ増幅／減衰部４に減衰動作をさせるように自身の出力を設定している。制御部５はチューナ部６に入力される電界強度とｔｈ５とを比較する（Ｓ１１２）。電界強度がｔｈ５より大きい場合、図６に示すとおりデジタル放送用受信装置２への入力電界強度は十分大きく、制御部５はスイッチ手段３、スイッチ手段３１と増幅／減衰部４の状態を変更する必要が無いためＳ１０２に戻る。Ｓ１１２において電界強度がｔｈ５より小さい場合、制御部５はチューナ部６に入力される電界強度をｔｈ６と比較する（Ｓ１１３）。電界強度がｔｈ６より大きい場合、制御部５はスイッチ手段３とスイッチ手段３１に第一の経路を選択させ、かつ増幅／減衰部４に減衰動作をさせるように自身の出力を設定し（Ｓ１１４）、Ｓ１０２に戻る。Ｓ１１３において電界強度がｔｈ６より小さい場合、制御部５はスイッチ手段３とスイッチ手段３１に第一の経路を選択させ、かつ増幅／減衰部４に増幅動作をさせるように自身の出力を設定し（Ｓ１１５）、Ｓ１０２に戻る。
【００２５】
ここで、制御部５の出力状態が頻繁に切り替わることを防ぐために、各閾値に望まれる条件を図６を用いて以下に述べる。
スイッチ手段３とスイッチ手段３１が第一の経路を選択し、かつ増幅／減衰部４が増幅動作をする場合、制御部５の電界強度がｔｈ１となるデジタル放送用受信装置２への入力電界強度をＰ１、制御部５の電界強度がｔｈ２となるデジタル放送用受信装置２への入力電界強度をＰ２とする。スイッチ手段３とスイッチ手段３１が第一の経路を選択し、かつ増幅／減衰部４が減衰動作をする場合、制御部５の電界強度がｔｈ３となるデジタル放送用受信装置２への入力電界強度をＰ３、制御部５の電界強度がｔｈ４となるデジタル放送用受信装置２への入力電界強度をＰ４とする。スイッチ手段３とスイッチ手段３１が第二の経路を選択し、かつ増幅／減衰部４が減衰動作をする場合、制御部５の電界強度がｔｈ５となるデジタル放送用受信装置２への入力電界強度をＰ５、制御部５の電界強度がｔｈ６となるデジタル放送用受信装置２への入力電界強度をＰ６とする。
【００２６】
このとき制御部５の出力が頻繁に切り替わってしまうことを防ぐためには図６に示すようにＰ１＞Ｐ３、Ｐ４＞Ｐ５であることが望ましい。また、通常Ｐ２＝Ｐ４、Ｐ６＝Ｐ３である。
【実施例２】
【００２７】
図８は、制御部５がチューナ部６１の内部に搭載される例を示すブロック図である。チューナ部６１を除くブロックは図１に示すブロックと同等の機能を持つ。図９は、制御部５を内蔵したチューナ部６１の内部構成の一例を示す図である。図９の例では、制御部５は信号強度を検出する機能を持ち、ＣＰＵ９が検出強度にしたがって制御する。検波部１０は、チューナ部６１に入力される信号強度をデジタルデータ化する。ＣＰＵ９は、バスインターフェース１１を介して、検波部１０がデジタルデータ化した強度情報を読み出す。ＣＰＵ９は、読み出した強度情報を基に、バスインターフェース１１を介して出力制御部１２に命令を送る。出力制御部１２はＣＰＵ１０からの命令に従い、出力端子１３からスイッチ手段３とスイッチ手段３１へのスイッチング電圧制御を実行し、また出力端子１４から増幅／減衰部４への電源電圧の印加または切断を実行する。
【００２８】
本実施例に示す構成は制御部５をチューナ部６１と一体化形成しているため、部品点数の削減、デジタル放送用受信装置２の小型化が実現できる。
【実施例３】
【００２９】
図１０は、制御部５が復調部７１の内部に搭載される例を示すブロック図である。復調部７１を除くブロックは図１に示すブロックと同等の機能を持つ。図１１は、制御部５を内蔵した復調部７１の内部構成の一例を示す図である。図１１の例では図９と同様に制御部５は信号強度を検出する機能を持ち、ＣＰＵ９が検出強度にしたがって制御する。検波部１０は、チューナ部６に入力される信号強度をデジタルデータ化する。ＣＰＵ９は、バスインターフェース１１を介して、検波部１０がデジタルデータ化した強度情報を読み出す。ＣＰＵ９は、読み出した強度情報を基に、バスインターフェース１１を介して出力制御部１２に命令を送る。出力制御部１２はＣＰＵ１０からの命令に従い、出力端子１３からスイッチ手段３とスイッチ手段３１へのスイッチング電圧制御を実行し、また出力端子１４から増幅／減衰部４への電源電圧の印加または切断を実行する。
【００３０】
本実施例に示す構成は制御部５を復調部７１と一体化形成しているため、部品点数の削減、デジタル放送用受信装置２の小型化が実現できる。また、復調部７はデジタル信号処理回路を含むＩＣであるため、制御部５をデジタル回路で構成することで実装をより簡易に実現できる。
【実施例４】
【００３１】
図１２と図１３を用いて、制御部５の別の動作について述べる。制御部５を除いたブロックは実施例１と同等の機能を持つ。
【００３２】
図１２は、制御部５の閾値設定の別の例を示す図である。また図１３は、図１２に従う制御部５の動作を示すフローチャート図である。
【００３３】
実施例１と同様に、制御部５は電界強度が各閾値を上回る、または下回ることでスイッチ手段３、スイッチ手段３１と増幅／減衰部４の状態を切り替える。本実施例では実施例１におけるｔｈ２及びｔｈ６を除いた、ｔｈ１、ｔｈ３、ｔｈ４、ｔｈ５の４つの閾値を用いて制御部５の動作を決定する。
【００３４】
例えばデジタル放送用受信装置２への電源投入直後の制御部５が、スイッチ手段３とスイッチ手段３１に第一の経路を選択させ、かつ増幅／減衰部４に増幅動作をさせるような出力状態にあるとする（Ｓ２０１）。制御部５は自身の出力がスイッチ手段３とスイッチ手段３１に第一の経路を選択させ、かつ増幅／減衰部４に増幅動作をさせる設定であることの真偽を確認する（Ｓ２０２）。真の場合、制御部５はチューナ部６に入力される高周波信号の電界強度を検出し、ｔｈ１と比較する（Ｓ２０３）。チューナ部６に入力される電界強度がｔｈ１より小さい場合、図１２に示すとおりデジタル放送受信装置２への入力電界強度は十分小さく、スイッチ手段３、スイッチ手段３１と増幅／減衰部４の状態を変更する必要が無いため、制御部５はＳ２０２に戻る。Ｓ２０３において電界強度がｔｈ１より大きい場合、制御部５はスイッチ手段３とスイッチ手段３１に第一の経路を選択させ、かつ増幅／減衰部４に減衰動作をさせるように自身の出力を設定し（Ｓ２０４）、Ｓ２０２に戻る。
【００３５】
Ｓ２０２での結果が偽である場合、制御部５は自身の出力がスイッチ手段３とスイッチ手段３１に第一の経路を選択させ、かつ増幅／減衰部４に減衰動作をさせる設定であることの真偽を確認する（Ｓ２０５）。真の場合、制御部５はチューナ部６に入力される電界強度をｔｈ３と比較する（Ｓ２０６）。電界強度がｔｈ３より小さい場合、制御部５はスイッチ手段３とスイッチ手段３１に第一の経路を選択させ、かつ増幅／減衰部４に増幅動作をさせるように自身の出力を設定し（Ｓ２０７）、Ｓ２０２に戻る。Ｓ１０８において電界強度がｔｈ３より大きい場合、制御部５はチューナ部６に入力される電界強度をｔｈ４と比較する（Ｓ２０８）。電界強度がｔｈ４より小さい場合、制御部５は出力設定を変更することなくＳ２０２に戻る。Ｓ２０８において電界強度がｔｈ４より大きい場合、制御部５はスイッチ手段３とスイッチ手段３１に第二の経路を選択させ、かつ増幅／減衰部４に減衰動作をさせるように自身の出力を設定し（Ｓ２０９）、Ｓ２０２に戻る。
【００３６】
Ｓ２０５での結果が偽である場合、制御部５はスイッチ手段３とスイッチ手段３１に第二の経路を選択させ、かつ増幅／減衰部４に減衰動作をさせるように自身の出力を設定している。制御部５はチューナ部６に入力される電界強度とｔｈ５とを比較する（Ｓ２１０）。電界強度がｔｈ５より大きい場合、図１２に示すとおりデジタル放送受信装置２への入力電界強度は十分大きく、スイッチ手段３、スイッチ手段３１と増幅／減衰部４の状態を変更する必要が無いためＳ２０２に戻る。Ｓ２１０において電界強度がｔｈ５より小さい場合、制御部５はスイッチ手段３とスイッチ手段３１に第一の経路を選択させ、かつ増幅／減衰部４に減衰動作をさせるように自身の出力を設定し（Ｓ２１１）、Ｓ２０２に戻る。
ここで、制御部５の出力状態が頻繁に切り替わることを防ぐために、各閾値に望まれる条件を図１２を用いて以下に述べる。
【００３７】
スイッチ手段３とスイッチ手段３１が第一の経路を選択し、かつ増幅／減衰部４が増幅動作をする場合、制御部５の電界強度がｔｈ１となるデジタル放送用受信装置２への入力電界強度をＰ１とする。スイッチ手段３とスイッチ手段３１が第一の経路を選択し、かつ増幅／減衰部４が減衰動作をする場合、制御部５の電界強度がｔｈ３となるデジタル放送用受信装置２への入力電界強度をＰ３、制御部５の電界強度がｔｈ４となるデジタル放送用受信装置２への入力電界強度をＰ４とする。スイッチ手段３とスイッチ手段３１が第二の経路を選択し、かつ増幅／減衰部４が減衰動作をする場合、制御部５の電界強度がｔｈ５となるデジタル放送用受信装置２への入力電界強度をＰ５とする。
【００３８】
このとき制御部５の出力が頻繁に切り替わってしまうことを防ぐためには図１２に示すようにＰ１＞Ｐ３、Ｐ４＞Ｐ５であることが望ましい。
【００３９】
本実施例は、実施例１におけるｔｈ２及びｔｈ６を除くことで、図７のＳ１０４、Ｓ１０６、Ｓ１１３、Ｓ１１５の手順がなくなり、アルゴリズムを単純化することができる。よって、本実施例は制御部５の出力動作の高速化を実現する。
【実施例５】
【００４０】
図１４は、本発明によるデジタル放送用受信装置の他の実施例を示すブロック図である。本実施例は、制御部５からの出力端子を１つにしたことを特徴としている。図１５は、デジタル放送用受信装置２に入力される電界強度と制御部５の出力電圧との関係の一例を示した模式図である。例えば制御部５は出力電圧を３段階持ち、図１５に示した各出力電圧Ｖ１、Ｖ２、Ｖ３はそれぞれ、スイッチ手段３、スイッチ手段３１と増幅／減衰部４の状態に対応している。また、本実施例において制御部５は実施例１及び実施例２における閾値設定及びフローチャートを用いることで制御を実現する。
【００４１】
このような構成にすることにより、信号線及び端子数が削減され、より簡易で安価に実現可能となる。
【００４２】
また本実施例の別の利点について以下に述べる。実施例１のように制御部５が第一、第二の出力端子を備える場合、制御部５の取り得る出力状態は、状態１、状態２、状態３と、スイッチ手段３とスイッチ手段３１に第二の経路を選択させ、かつ増幅／減衰部４に増幅動作をさせるような出力状態の４通り存在する。スイッチ手段３とスイッチ手段３１が第二の経路を選択する場合、増幅／減衰部４が増幅機能を持つことは消費電力の増加に繋がる。そのため、状態３に設定するとき増幅／減衰部４の動作状態を減衰動作に指定する必要があった。本実施例では制御部５の取り得る出力状態は３通りである。制御部５の出力がスイッチ手段３とスイッチ手段３１に第二の経路を選択させる場合、増幅／減衰部４は必然的に減衰動作をするため、実施例１、実施例２、実施例３、実施例４のように増幅／減衰部４の動作を指定する必要はない。よって本実施例では制御の単純化ができる。
【実施例６】
【００４３】
図１６は、本発明を用いたデジタル放送用受信装置の他の実施例を示すブロック図である。本実施例は、図１に示すスイッチ手段３１に替えて合成器１５を配したものであり、合成器１５は制御部５による制御を受けない。合成器１５を除くブロックは図１と同等の機能を持つ。本実施例の構成をとることで、デジタル放送用受信装置２は他実施例と同等の受信性能が得られ、かつ簡易な構成で実現できる。
【００４４】
制御部５はスイッチ手段３１への制御が無いことを除いて実施例１、実施例４と同じ動作を行う。
【実施例７】
【００４５】
図１７は、本発明を用いたデジタル放送用受信装置の他の実施例を示すブロック図である。本実施例は、図１に示すスイッチ手段３に替えて分波器１６を配したものであり、分波器１６は制御部５による制御を受けない。分波器１６を除くブロックは図１と同等の機能を持つ。本実施例の構成をとることで、デジタル放送用受信装置２は他実施例と同等の受信性能が得られ、かつ簡易な構成で実現できる。
【００４６】
制御部５はスイッチ手段３への制御が無いことを除いて実施例１、実施例４と同じ動作を行う。
【産業上の利用可能性】
【００４７】
本発明はデジタル放送用受信装置に関するが、アナログ放送用受信装置でも本発明により同様の効果を得られる。
【図面の簡単な説明】
【００４８】
【図１】本発明の実施例１のデジタル放送用受信装置を示すブロック図。
【図２】デジタル放送用受信装置入力電界強度と所要ＤＵ比の関係を示す模式図。
【図３】各電界強度範囲におけるスイッチ手段３とスイッチ手段３１と増幅／減衰部４の最適設定を示す表。
【図４】図１におけるスイッチ手段３とスイッチ手段３１の内部構成の一例を示すブロック図。
【図５】図１における増幅／減衰部４の内部構成の一例を示すブロック図。
【図６】制御部５の動作における閾値設定の一例を示す図。
【図７】制御部５による制御の一例を説明するフローチャート。
【図８】本発明の実施例２のデジタル放送用受信装置を示すブロック図。
【図９】チューナ部６内部に制御部５を配した構成の一例を示すブロック図。
【図１０】本発明の実施例３のデジタル放送用受信装置を示すブロック図。
【図１１】復調部７内部に制御部５を配した構成の一例を示すブロック図。
【図１２】本発明の実施例４の制御部５の動作における閾値設定例を示す図。
【図１３】制御部５による制御の他の例を説明するフローチャート。
【図１４】本発明の実施例５のデジタル放送用受信装置を示すブロック図。
【図１５】図１１における制御部５の出力電圧について示した図。
【図１６】本発明の実施例６のデジタル放送用受信装置を示すブロック図。
【図１７】本発明の実施例７のデジタル放送用受信装置を示すブロック図。
【符号の説明】
【００４９】
１    アンテナ
２    デジタル放送用受信装置
３    スイッチ手段
４    増幅／減衰部
５    制御部５
６    チューナ部
７    復調部
８    信号処理部
９    ＣＰＵ
１０    検波部
１１    バスインターフェース
１２    出力制御部
１３    出力端子
１４    出力端子
１５    合成器
１６    分波器
３１    スイッチ手段
６１    チューナ部
７１    復調部
【図１】
2008153845.tif 000003
【図２】
2008153845.tif 000004
【図３】
2008153845.tif 000005
【図４】
2008153845.tif 000006
【図５】
2008153845.tif 000007
【図６】
2008153845.tif 000008
【図７】
2008153845.tif 000009
【図８】
2008153845.tif 000010
【図９】
2008153845.tif 000011
【図１０】
2008153845.tif 000012
【図１１】
2008153845.tif 000013
【図１２】
2008153845.tif 000014
【図１３】
2008153845.tif 000015
【図１４】
2008153845.tif 000016
【図１５】
2008153845.tif 000017
【図１６】
2008153845.tif 000018
【図１７】
2008153845.tif 000019